(57)【要約】【課題】非接触式トークンのみを効率よく回収できるようにする。【解決手段】非接触式トークンの投入されるトークン投入口に開閉するシャッタを有する非接触式トークン投入装置において、前記シャッタを開閉駆動するシャッタ駆動機構と、前記トークン投入口の近くに、そのトークン投入口に投入されようとしている非接触式トークンの位置が第１の磁場となり、そのトークン投入口に投入されたその非接触式トークンの移動する位置が第２の磁場となるように配置されたアンテナと、前記第１の磁場で前記非接触式トークンと交信したときに前記トークン投入口を開とするように前記シャッタ駆動機構を制御する制御手段とを有する。【選択図】      図２
2004151936.tif 000002
【特許請求の範囲】
【請求項１】
非接触式トークンの投入されるトークン投入口に開閉するシャッタを有する非接触式トークン投入装置において、
前記シャッタを開閉駆動するシャッタ駆動機構と、
前記トークン投入口の近くに、そのトークン投入口に投入されようとしている非接触式トークンの位置が第１の磁場となり、そのトークン投入口に投入されたその非接触式トークンの移動する位置が第２の磁場となるように配置されたアンテナと、
前記第１の磁場で前記非接触式トークンと交信したときに前記トークン投入口を開とするように前記シャッタ駆動機構を制御する制御手段と、
を有することを特徴とする非接触式トークン投入装置。
【請求項２】
請求項１に記載の非接触式トークン投入装置において、非接触式トークン投入装置の本体は、非接触式自動改札機に設けられるものであることを特徴とする非接触式トークン投入装置。
【請求項３】
請求項１に記載の非接触式トークン投入装置において、非接触式トークン投入装置の本体は、非接触式自動精算機に設けられるものであることを特徴とする非接触式トークン投入装置。
【発明の詳細な説明】
【０００１】
【発明の属する技術分野】
本発明は、非接触式自動改札機や非接触式自動精算機に用いられる非接触式トークン投入装置に関する。
【０００２】
【従来の技術】
近年、利用者（旅客）の利便性を高めるために、乗車券を自動改札機に投入することなく、非接触式に自動改札が行える非接触式自動改札機が提案されている（例えば、特開平１−２４６６８７号公報）。このような非接触式自動改札機で用いられる乗車券は、無線通信機能を備えたＩＣカードから構成されていて、この非接触式乗車券と非接触式自動改札機との間で、非接触でデータの授受が行われて入出場（入場又は出場を意味している。）処理が行われるように構成されている。
【０００３】
また、非接触式乗車券は、無線通信機能を備えたＩＣカードからなるので、磁気券に比べて製造コストが高く、したがって、１回限りの普通券や一日乗車券、あるいは回数券等の比較的短期間の乗車券を非接触式乗車券とした場合は、運用コストがかさんで現実的でなくなるという問題点を含んでいるので、本出願人は、特願２００１−２７００号等において、短期使用券を非接触式トークン（以下、「トークン」という。）とし、そのトークンを回収して繰返し使用できる改札処理システムを提案している。
【０００４】
上述のように、短期使用券をトークンとしたときは、磁気券を処理するための自動改札機を設置する必要がなく、設備コストを低減することができるという特長が得られるだけでなく、トークンを繰返し使用できるので省資源化を図ることが可能となる。
【０００５】
【発明が解決しようとする課題】
しかしながら、上述のように短期使用券をトークンとし、これを繰返し使用できるようにしたときは、出場側においてトークンを回収する必要があり、したがって、出場用の非接触式自動改札機でトークンを回収するために、その非接触式自動改札機の本体又は非接触式自動精算機の本体には、トークンを回収するためのトークン投入口が設けられる。このトークン投入口には、トークン以外の異物が投入されると機器類がダウンしてしまうのでシャッタが設けられるが、このシャッタの開閉をトークンが近づいたときだけ簡単に制御できるようにすることが望まれていた。
【０００６】
そこで、本発明は、上記要望に応えるためになされたものであって、その目的は、トークンの回収機構を備えた非接触式トークン投入装置を提供することにある。
【０００７】
【課題を解決するための手段】
本発明に係る非接触式トークン投入装置は、上記目的を達成するために、請求項１に記載の発明は、トークンの投入されるトークン投入口に開閉するシャッタを有する非接触式トークン投入装置において、前記シャッタを開閉駆動するシャッタ駆動機構と、前記トークン投入口の近くに、そのトークン投入口に投入されようとしているトークンの位置が第１の磁場となり、そのトークン投入口に投入されたそのトークンの移動する位置が第２の磁場となるように配置されたアンテナと、前記第１の磁場で前記トークンと交信したときに前記トークン投入口を開とするように前記シャッタ駆動機構を制御する制御手段と、を有することを特徴としている。
また、本発明の請求項２に記載の非接触式トークン投入装置は、非接触式トークン投入装置の本体は、非接触式自動改札機に設けられるものであることを特徴としている。
そして、本発明の請求項３に記載の非接触式トークン投入装置は、非接触式トークン投入装置の本体は、非接触式自動精算機に設けられるものであることを特徴としている。
【０００８】
【発明の実施の形態】
以下、本発明の実施の形態を図面に基づいて説明する。図１は、一実施の形態に係る非接触式トークン投入装置の本体を非接触式自動改札機の本体（以下、「本体」という。）Ｇに組込んだときのその斜視図であって、その本体Ｇの入口側の筐体Ｈの上面には、図示しない非接触式ＩＣカードからなる非接触券及びトークンＴ（後述する図２のトークンＴを参照）と交信するための内部にアンテナａを備えたカバーａ′が設けられている。
【０００９】
筐体Ｈの改札通路Ｐの入口側には、本体Ｇの使用状態、つまり改札通路Ｐを通過できるか否かを利用者に表示するための表示部１が設けられている。また、図中、Ｓ，Ｓ…は、改札通路Ｐへの利用者の進入又は改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側でその改札通路Ｐの通過方向に沿って設けられたセンサ取付ボックス２内に設けられている反射型センサによっても構成されている。この反射型センサは、改札通路Ｐ内の大人の利用者を検知できるように構成されている。
【００１０】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１  ，Ｄ２  がそれぞれ設けられている。また、筐体Ｈの上面のほぼ中央部には、利用者に対して文字により所定の案内を行うための表示画面４が取付けられている。
【００１１】
図中、５は、トークンＴを投入するためのトークン投入口であって、アンテナａと表示画面４ａとのほぼ中間位置の筐体Ｈの上面に設けられている。また、Ｂは、回収したトークンＴを収納する回収箱であって、筐体Ｈの改札通路Ｐ側に着脱自在に設けられている。さらに、６は、筐体Ｈの側面に設けられた返却口であって、トークン投入口５に投入されたトークンＴを利用者へ返却するときに排出されるように構成されている。
【００１２】
図中、７は、本体Ｇの動作を司どる制御器であり、マイクロコンピュータを中心に構成されている。そして、この制御器７には、非接触券及びトークンＴとの間でデータの授受を行うためのアンテナａを接続したリーダライタＲ（後述の図３参照）が接続されている。
【００１３】
図２（ａ）は、トークン投入口５の筐体Ｈの内側を示したもので、そのトークン投入口５の内側には、図示しないソレノイドで駆動されるシャッタ８が設けられていて、トークン投入口５を開閉できるように構成されている。そして、そのシャッタ８の下方には、トークン投入口５に投入されたコイン状を呈するトークンＴ（図２（ａ）に拡大して示されているトークンＴ参照）を回収箱（図示せず）に重力を利用して導入する通路９が設けられている。この通路９の下部には、図示しないソレノイドで駆動される振分板１０が設けられていて、落下してくるトークンＴを回収箱又は返却口６へ分別できるように構成されている。
【００１４】
図２（ａ）中、ａは、通路９の上部側に設けられたアンテナであって、図２（ａ）の矢印イ方向から見た図２（ｂ）に示されるように、通路９の上部の壁面に平行にコイルＣを巻回する形で、かつ、その巻回の平面方向がトークン投入口５に向くように少し傾斜した形で設けられている。このアンテナａからは、図２（ａ）に鎖線で円形で示される磁場が発生するが、説明の便宜上、トークン投入口５側の磁場を第１の磁場１１ａ、通路９側の磁場を第２の磁場１１ｂとして説明する。
【００１５】
図３は、制御器７及びトークンＴの電気的構成を示すブロック図であって、本体Ｇに設けられている制御器７側から説明すると、この制御器７のＣＰＵ２０は、ＲＯＭ２１に記憶されているシステムプログラム及びＲＡＭ２２に記憶されているワーキングデータを用いて演算処理を行って、本体Ｇを統括的に制御できるように構成されている。そして、このＣＰＵ２０には、Ｉ／Ｏユニット２３を介してドアＤ１  ，Ｄ２  を駆動制御するドア駆動ユニット２４と、表示画面４の表示内容を駆動制御する表示画面駆動ユニット２５と、シャッタ８のソレノイドを駆動制御するソレノイドドライバ２６とが接続されている。なお、このＣＰＵ２０には、人間検知器Ｓや図示しない反射型センサの検知信号を入力するためのセンサアンプ、さらに、音声ドライバ等が接続されているが、ここでは省略されている。
【００１６】
リーダライタＲには、図示しない非接触券及び入場時のトークンＴと交信を行うためのアンテナａ０  が接続されているとともに、出場時のトークンＴと交信するためのトーク投入口５側に設けられている上記アンテナａが接続されている。これらアンテナａ，ａ０  は、非接触券及びトークンＴとデータ授受を行う機能と、非接触券及びトークンＴに電力を供給する機能とが備えられている。
【００１７】
トークンＴは、無線通信機能を有するＩＣカードと同様に構成されている。すなわち、このトークンＴには、アンテナＡと、本体Ｇ側と交信するための通信制御部３０と、その通信制御部３０とＩ／Ｏユニット３１を介して接続されているＣＰＵ３２と、システムプログラムや乗車券データ等のトークンデータの記録されているメモリ３３と、本体Ｇからの電力波をアンテナＡを介して受信し、トークンＴの駆動電力を生成する電力生成回路３４とを有している。なお、図３では、非接触券の電気的構成は示されていないが、非接触券もこのトークンＴとほぼ同様に構成されている。
【００１８】
以下、図４のフローチャートを用いてトークンＴの回収制御動作について説明する。今、トークンＴを所持している利用者が本体Ｇを介して出場しようとしているものとする。
【００１９】
トークンＴがトークン投入口５に投入されようとしてそのトークン投入口５に近付けられると、そのトークンＴは、アンテナａの第１の磁場１１ａの範囲内に入り、このため、トークンＴと本体Ｇとは第１の磁場１１ａを介して交信が行われる（ステップ１００肯定。以下、ステップを「Ｓ」とする。）。ＣＰＵ２０は、この交信によりトークンＴがトークン投入口５に投入されようとしているものと判定してソレノイドドライバ２６を介してシャッタ８を開き、そのシャッタ開が図示しないセンサで検出される。したがって、トークンＴは、トークン投入口５への投入が可能となる（Ｓ１０２）。トークン投入口５に投入されたトークンＴは、通路９を落下する途中、シャッタ８の開条件の下、第２の磁場１１ｂを介して交信が行われてトークンＴと本体Ｇとの間でデータ授受が行われる（Ｓ１０４）。本体ＧのＣＰＵ２０では、トークンＴから得たトークンデータを基に出場を許可できるか否かの判定を行ない、出場を許可できると判定されたときは（Ｓ１０６肯定）、振分板１０が図２（ａ）の鎖線位置となり、投入されたトークンＴは回収箱へ回収され、また、ドアＤ１  が開となって（本体Ｇがノーマルオープン型のときはそのまま）利用者の改札通路Ｐの通過（出場）が許可される（Ｓ１０８）。回収箱Ｂに回収されたトークンＴは、図示しないトークン発行機にセットされて再使用される。
【００２０】
トークン投入口５に投入されたトークンＴが料金不足等で出場を許可できないと判定されたときは（Ｓ１０６否定）、ドアＤ１  が閉じられてスピーカ３及び表示画面４を介して精算案内などの所定の案内が行なわれる。この場合、振分板１０は、図２（ａ）の実線位置となり、投入されたトークンＴは返却口６へ排出されて利用者へ返却される（Ｓ１１０）。なお、トークンＴをトークン投入口５に投入することなく、改札通路Ｐを通過しようとしたときは、人間検知器によりその利用者が検知されてドアＤ１  が閉じられ出場が拒否される（フローチャートでは省略）。
【００２１】
上述の例は、非接触式トークン投入装置を非接触式自動改札機に組込んだ例を示したが、非接触式自動精算機に組込むこともできる。
【００２２】
【発明の効果】
本発明の請求項１に記載の非接触式トークン投入装置は、シャッタを開閉駆動するシャッタ駆動機構と、トークン投入口の近くに、そのトークン投入口に投入されようとしているトークンの位置が第１の磁場となり、そのトークン投入口に投入されたそのトークンの移動する位置が第２の磁場となるように配置されたアンテナと、前記第１の磁場で前記トークンと交信したときに前記トークン投入口を開とするように前記シャッタ駆動機構を制御する制御手段とを有するので、トークン投入口に異物が投入されるのを効果的に防止することができる。
本発明の請求項２に記載の非接触式トークン投入装置は、非接触式トークン投入装置の本体が非接触式自動改札機に設けられるので、非接触式自動改札機のトークン投入口への異物投入を効果的に防止することができる。
本発明の請求項３に記載の非接触式トークン投入装置は、非接触式トークン投入装置の本体が非接触式自動精算機に設けられるので、非接触式自動精算機のトークン投入口への異物投入を効果的に防止することができる。
【図面の簡単な説明】
【図１】本発明の一実施の形態に係る非接触式トークン投入装置を非接触式自動改札機に組込んだときのその斜視図である。
【図２】トークン投入口の内側の詳細図である。
【図３】制御器及びトークンの電気的構成を示すブロック図である。
【図４】制御動作を示すフローチャートである。
【符号の説明】
Ｔ      非接触式トークン（トークン）
Ｇ      非接触式自動改札機の本体（本体）
ａ，ａ０        アンテナ
ａ′      カバー
５      トークン投入口
６      返却口
７      制御器
【図１】
2004151936.tif 000003
【図２】
2004151936.tif 000004
【図３】
2004151936.tif 000005
【図４】
2004151936.tif 000006